(57)【要約】      （修正有）【課題】ユーザ同士の情報交換または共有の促進、ひいてはコミュニティの活性化を図りうる移動体用通信装置およびこれを用いたシステムを提供する。【解決手段】移動体用通信装置１のユーザ同士がバイク（自動二輪車）に乗って相互に対向して走行している状況において、主機１１の通信確立によって副機１２のＬＥＤが点灯する。ＬＥＤの点灯に気付いたユーザがお互いに片腕を上げるというトリガアクションをとることにより、簡易情報等が交換される。その後、ユーザがバイクを降りて主機１（スマホ）に表示されている簡易情報の一覧の中から興味がある簡易情報を指定することにより、これに対応する詳細情報を閲覧できる。【選択図】図１
2015201794.tif 000002
【特許請求の範囲】
【請求項１】
移動体用通信装置であって、
入力装置と、
出力装置と、
前記移動体用通信装置との通信可能範囲に存在する他の移動体用通信装置との間で第１指定情報を送受信するように構成され、かつ、前記入力装置に対する指定入力に応じて、前記第１指定情報に対応付けられてセンターサーバに登録されている第２指定情報の要求を前記センターサーバに送信し、当該要求に応じて前記センターサーバから送信された前記第２指定情報を受信した上で前記出力装置に出力させるように構成されている制御装置と、を備えていることを特徴とする移動体用通信装置。
【請求項２】
請求項１記載の移動体用通信装置において、
前記入力装置を通じて前記第２指定情報が入力されるように構成され、
前記制御装置が、前記入力装置を通じて入力された前記第２指定情報を前記センターサーバに送信して登録させるように構成されていることを特徴とする移動体用通信装置。
【請求項３】
請求項１または２記載の移動体用通信装置において、
前記移動体用通信装置のユーザによるトリガアクションを検知する検知器を備え、
前記制御装置が、前記移動体の動作中に前記検知器により前記トリガアクションが検知されたことを要件として、前記他の移動体用通信装置から第１指定情報を送受信するように構成されていることを特徴とする移動体用通信装置。
【請求項４】
請求項３記載の移動体用通信装置において、
前記制御装置を備えている主機と、前記検知器を備えている副機とにより構成され、
前記副機が前記ユーザの身体に対して取り付けられ、かつ、前記検知器の出力信号を前記主機に対して送信するように構成され、
前記主機の前記制御装置が、前記移動体の動作中に前記副機から前記検知器の出力信号を受信したことを要件として、前記他の移動体用通信装置との間で前記第１指定情報を送受信するように構成されていることを特徴とする移動体用通信装置。
【請求項５】
請求項３または４記載の移動体用通信装置において、
前記検知器は前記移動体としての車両のハンドルから前記ユーザが手を放したことを前記トリガアクションとして検知するように構成されていることを特徴とする移動体用通信装置。
【請求項６】
請求項５記載の移動体用通信装置において、
前記検知器は前記ユーザの上肢または手首に装着される装具に組み込まれていることを特徴とする移動体用通信装置。
【請求項７】
請求項１〜６のうちいずれか１つに記載の移動体用通信装置において、
前記他の移動体用通信装置との通信が確立されていることを前記移動体用通信装置のユーザに対して報知する報知器をさらに備えていることを特徴とする移動体用通信装置。
【請求項８】
請求項７記載の移動体用通信装置において、
前記報知器を構成する発光器を備え、前記制御装置が、前記他の移動体用通信装置との通信が確立されている場合、前記発光器を指定態様で発光させるように構成されていることを特徴とする移動体用通信装置。
【請求項９】
請求項１〜８のうちいずれか１つに記載の移動体用通信装置において、
前記制御装置が、前記第２指定情報よりも情報量が少ない複数の簡易情報を前記他の移動体用通信装置から受信した上で前記出力装置に出力させるように構成され、かつ、当該複数の簡易情報の中からユーザにより前記入力装置を通じて指定された前記簡易情報に関連付けられて前記センターサーバに登録されている前記第２指定情報としての詳細情報の要求を前記センターサーバに対して送信するように構成されていることを特徴とする移動体用通信装置。
【請求項１０】
請求項１〜９のうちいずれか１つに記載の移動体用通信装置において、
前記制御装置が、前記他の移動体用通信装置との間で前記移動体、前記移動体用通信装置またはそのユーザの属性情報を送受信し、かつ、前記属性情報が共通していることを要件として、前記他の移動体用通信装置との間で前記第１指定情報を送受信するまたは前記第２指定情報の要求を前記センターサーバに送信するように構成されていることを特徴とする移動体用通信装置。
【請求項１１】
請求項１０記載の移動体用通信装置において、
前記属性情報には、目的地点、前記目的地点までのルート、指定地点、前記移動体としての車両の型または種類、および前記ユーザの嗜好性のうち少なくとも１つに関する情報が含まれていることを特徴とする移動体用通信装置。
【請求項１２】
請求項１〜１１のうちいずれか１つに記載の移動体用通信装置において、
前記制御装置が、前記移動体が動作状態にあることを要件として、前記他の移動体用通信装置との間で前記第１指定情報を送受信するように構成されていることを特徴とする移動体用通信装置。
【請求項１３】
請求項１〜１２のうちいずれか記載の移動体用通信装置において、
前記制御装置が、前記移動体が動作停止状態にあることを要件として、前記センターサーバに前記第２指定情報の要求を送信するように構成されていることを特徴とする移動体用通信装置。
【請求項１４】
移動体用通信装置およびセンターサーバにより構成されている移動体通信システムであって、
前記移動体用通信装置が、
入力装置と、
出力装置と、
前記移動体用通信装置との通信可能範囲に存在する他の移動体用通信装置との間で第１指定情報を送受信するように構成され、かつ、前記入力装置に対する指定入力に応じて、前記第１指定情報に対応付けられてセンターサーバに登録されている第２指定情報の要求を前記センターサーバに送信し、当該要求に応じて前記センターサーバから送信された前記第２指定情報を受信した上で前記出力装置に出力させるように構成されている制御装置と、を備え、
前記センターサーバが、前記第１指定情報および前記第２指定情報を関連付けて記憶保持する記憶装置を備え、前記移動体用通信装置から前記要求を受信した上で、当該要求に応じた前記第２指定情報を前記記憶装置から検索して前記移動体用通信装置に対して送信するように構成されていることを特徴とする移動体通信システム。
【請求項１５】
請求項１４記載の移動体通信システムにおいて、
前記移動体用通信装置の前記制御装置が、前記入力装置を通じて入力された前記移動体またはそのユーザの属性情報を認識し、前記他の移動体用通信装置との間で前記属性情報を送受信し、かつ、前記属性情報が共通していることを要件として、前記他の移動体用通信装置との間で前記第１指定情報を送受信するように構成されていることを特徴とする移動体通信システム。
【発明の詳細な説明】
【技術分野】
【０００１】
本発明は、車両などの移動体用の通信装置およびこれを用いたシステムに関する。
【背景技術】
【０００２】
類似する状況にある移動体同士の情報共有を図るための技術的手法が提案されている（特許文献１参照）。すれ違った者同士で個人情報を秘匿しながら移動体用通信装置を通じてメッセージを送受信する手法が提案されている（特許文献２参照）。
【先行技術文献】
【特許文献】
【０００３】
【特許文献１】特開２０１３−２５０８６７号公報
【特許文献２】特開２０１０−２５１８５８号公報
【発明の概要】
【発明が解決しようとする課題】
【０００４】
しかし、地理的または時間的な共通性があることが情報交換の要件とされているだけでは、ユーザにとっての情報交換の魅力を低減させてしまい、当該情報交換のためのシステムが形骸化してしまう可能性がある。
【０００５】
そこで、本発明は、ユーザ間の情報交換または共有の促進、ひいてはコミュニティの活性化を図りうる移動体用通信装置およびこれを用いたシステムを提供することを解決課題とする。
【課題を解決するための手段】
【０００６】
本発明の移動体用通信装置は、入力装置と、出力装置と、前記移動体用通信装置との通信可能範囲に存在する他の移動体用通信装置との間で第１指定情報を送受信するように構成され、かつ、前記入力装置に対する指定入力に応じて、前記第１指定情報に対応付けられてセンターサーバに登録されている第２指定情報の要求を前記センターサーバに送信し、当該要求に応じて前記センターサーバから送信された前記第２指定情報を受信した上で前記出力装置に出力させるように構成されている制御装置と、を備えていることを特徴とする。
【０００７】
本発明の移動体用通信装置によれば、複数の移動体が移動体用通信装置の相互通信が可能になる程度に近接したことを要件として、複数のユーザはセンターサーバに登録されている第２指定情報を交換または共有することができる。移動体を用いた移動中の接近により各ユーザにコミュニケーションしていることを実感させ、かつ、コミュニケーションに対する魅力を感じさせることができる。これにより、ユーザ間の情報交換または共有の促進およびコミュニティの活性化が図られる。
【０００８】
前記移動体用通信装置において、前記入力装置を通じて前記第２指定情報が入力されるように構成され、前記制御装置が、前記入力装置を通じて入力された前記第２指定情報を前記センターサーバに送信して登録させるように構成されていることが好ましい。
【０００９】
当該構成の移動体用通信装置によれば、ユーザはその意思に応じた入力情報を他のユーザと交換することができる。
【００１０】
前記移動体用通信装置において、前記移動体用通信装置のユーザによるトリガアクションを検知する検知器を備え、前記制御装置が、前記移動体の動作中に前記検知器により前記トリガアクションが検知されたことを要件として、前記他の移動体用通信装置から第１指定情報を送受信するように構成されていることが好ましい。
【００１１】
当該構成の移動体用通信装置によれば、トリガアクションが他のユーザとの情報交換または共有の要件とされているので、ユーザに他のユーザとコミュニケーションしていることをより強く実感させ、かつ、コミュニケーションに対する魅力を感じさせることができる。これにより、ユーザ間の情報交換または共有の促進およびコミュニティの活性化が図られる。
【００１２】
前記移動体用通信装置において、前記制御装置を備えている主機と、前記検知器を備えている副機とにより構成され、前記副機が前記ユーザの身体に対して取り付けられ、かつ、前記検知器の出力信号を前記主機に対して送信するように構成され、前記主機の前記制御装置が、前記移動体の動作中に前記副機から前記検知器の出力信号を受信したことを要件として、前記他の移動体用通信装置との間で前記第１指定情報を送受信するように構成されていることが好ましい。
【００１３】
当該構成の移動体用通信装置によれば、身体の動きを伴うトリガアクションが情報交換または共有の要件とされているので、ユーザに他人とコミュニケーションしていることをより明確に実感させることができる。主機および身体に取り付けられる副機という分離型の機器を各ユーザに所有させることにより、情報交換可能なコミュニティの一員であることを各ユーザに実感させることができる。これにより、ユーザ間の情報交換または共有の促進ひいてはコミュニティの活性化が図られる。
【００１４】
前記移動体用通信装置において、前記検知器は前記移動体としての車両のハンドルから前記ユーザが手を放したことを前記トリガアクションとして検知するように構成されていることが好ましい。
【００１５】
前記移動体用通信装置において、前記検知器は前記ユーザの上肢または手首に装着される装具に組み込まれていることが好ましい。
【００１６】
当該構成の移動体用通信装置によれば、副機が手首に装着されている方の腕をハンドルから離してあげる等の動作が情報交換または共有の要件とされている。このため、ユーザに他のユーザとコミュニケーションしていることを実感させ、かつ、コミュニケーションに対する魅力を抱かせることができる。ユーザ同士が相手方の手首に取り付けられている副機を視認することで、相手方との情報交換が可能なタイミングでトリガアクションを各ユーザに促すことも期待される。これにより、ユーザ間の情報交換または共有の促進およびコミュニティのさらなる活性化が図られる。
【００１７】
前記移動体用通信装置において、前記他の移動体用通信装置との通信が確立されていることを前記移動体用通信装置のユーザに対して報知する報知器をさらに備えていることが好ましい。
【００１８】
前記移動体用通信装置において、前記報知器を構成する発光器を備え、前記制御装置が、前記他の移動体用通信装置との通信が確立されている場合、前記発光器を指定態様で発光させるように構成されていることが好ましい。
【００１９】
当該構成の移動体用通信装置によれば、各ユーザに情報交換可能な相手方の存在を発光器の発光態様などの報知器の報知態様を通じて認識させることができる。トリガアクションが相手方との情報交換または共有の要件とされている場合、適当なタイミングでユーザにトリガアクションを促すことができる。これにより、ユーザ間の情報交換および共有およびコミュニティの活性化が図られる。
【００２０】
前記移動体用通信装置において、前記制御装置が、前記第２指定情報よりも情報量が少ない複数の簡易情報を前記他の移動体用通信装置から受信した上で前記出力装置に出力させるように構成され、かつ、当該複数の簡易情報の中から前記ユーザにより前記入力装置を通じて指定された前記簡易情報に関連付けられて前記センターサーバに登録されている前記第２指定情報としての詳細情報の要求を前記センターサーバに対して送信するように構成されていることが好ましい。
【００２１】
当該構成の移動体用通信装置によれば、ユーザ同士が高い相対速度ですれ違った等の原因により、移動体用通信装置同士の通信確立時間が短くなり、交換可能な情報量が制限されたとしても、当該すれ違い等に際して交換した簡易情報よりも情報量が多い詳細情報を事後的に各ユーザに交換または共有させることができる。これにより、ユーザ間での情報量が比較的多い情報の交換または共有の促進およびコミュニティの活性化が図られる。
【００２２】
前記移動体用通信装置において、前記制御装置が、前記他の移動体用通信装置との間で前記移動体、前記移動体用通信装置またはそのユーザの属性情報を送受信し、かつ、前記属性情報が共通していることを要件として、前記他の移動体用通信装置との間で前記第１指定情報を送受信するまたは前記第２指定情報の要求を前記センターサーバに送信するように構成されていることが好ましい。
【００２３】
前記移動体用通信装置において、前記属性情報には、目的地点、前記目的地点までのルート、指定地点、前記移動体としての車両の型または種類、および前記ユーザの嗜好のうち少なくとも１つに関する情報が含まれていることが好ましい。
【００２４】
当該構成の移動体用通信装置によれば、前記のように複数の移動体が移動体用通信装置の相互通信が可能になる程度に近接したこと等に加えて、目的地点などに関する属性情報が共通することを要件として複数のユーザが情報を交換または共有することができる。これにより、各ユーザにとって価値または有用性が高い情報の交換または共有の促進およびコミュニティのさらなる活性化が図られる。
【００２５】
前記移動体用通信装置において、前記制御装置が、前記移動体が動作状態にあることを要件として、前記他の移動体用通信装置との間で前記第１指定情報を送受信するように構成されていることが好ましい。
【００２６】
当該構成の移動体用通信装置によれば、移動体とともに移動しているユーザの間での情報交換または共有の促進が図られる。
【００２７】
前記移動体用通信装置において、前記制御装置が、前記移動体が動作停止状態にあることを要件として、前記センターサーバに前記第２指定情報の要求を送信するように構成されていることが好ましい。
【００２８】
当該構成の移動体用通信装置によれば、移動体を運転しているユーザの注意を散逸させるような事態を回避しながら、ユーザの間での情報交換または共有の促進が図られる。
【００２９】
本発明の移動体通信システムは、移動体用通信装置およびセンターサーバにより構成されている移動体通信システムであって、前記移動体用通信装置が、入力装置と、出力装置と、前記移動体用通信装置との通信可能範囲に存在する他の移動体用通信装置との間で第１指定情報を送受信するように構成され、かつ、前記入力装置に対する指定入力に応じて、前記第１指定情報に対応付けられてセンターサーバに登録されている第２指定情報の要求を前記センターサーバに送信し、当該要求に応じて前記センターサーバから送信された前記第２指定情報を受信した上で前記出力装置に出力させるように構成されている制御装置と、を備え、前記センターサーバが、前記第１指定情報および前記第２指定情報を関連付けて記憶保持する記憶装置を備え、前記移動体用通信装置から前記要求を受信した上で、当該要求に応じた前記第２指定情報を前記記憶装置から検索して前記移動体用通信装置に対して送信するように構成されていることを特徴とする。
【００３０】
前記移動体通信システムにおいて、前記移動体用通信装置の前記制御装置が、前記入力装置を通じて入力された前記移動体またはそのユーザの属性情報を認識し、前記他の移動体用通信装置との間で前記属性情報を送受信し、かつ、前記属性情報が共通していることを要件として、前記他の移動体用通信装置との間で前記第１指定情報を送受信するように構成されていることが好ましい。
【図面の簡単な説明】
【００３１】
【図１】本発明の一実施形態としての移動体用通信装置および移動体通信システムの構成説明図。
【図２】本発明の一実施形態としての移動体用通信装置および移動体通信システムの機能説明図。
【図３】本発明の移動体用通信装置および移動体通信システムの利用形態に関する説明図。
【図４】本発明の移動体用通信装置および移動体通信システムの利用形態に関する説明図。
【発明を実施するための形態】
【００３２】
（構成）
図１に示されている移動体通信システムは、移動体用通信装置１およびセンターサーバ２により構成されている。移動体用通信装置１は、主機１１および副機１２により構成されている。
【００３３】
移動体用通信装置１およびセンターサーバ２は、長距離無線通信規格にしたがって相互通信可能に構成されている。主機１１および副機１２は、この長距離無線通信規格よりも通信可能範囲が限局される近距離無線通信規格にしたがって相互通信可能に構成されている。主機１１同士は、この長距離無線通信規格またはこれと異なる無線通信規格にしたがって相互通信可能に構成されている。
【００３４】
主機１１としては、スマホのほか、タブレット型端末などの携帯端末のほか、車両等の移動体に搭載されているＥＣＵ（電子制御ユニット）またはコンピュータなど、当該移動体とともに移動可能なあらゆる情報処理端末が採用されうる。主機１１は、ＧＰＳを用いた自己位置測定機能と、センターサーバ２を含む外部機器との通信機能とを有している。主機１１は、入力装置１１１と、出力装置１１２と、記憶装置１１３と、主制御装置１１４とを備えている。
【００３５】
入力装置１１１は、ディスプレイと一体的に構成されているタッチパネルスイッチにより構成され、ユーザによる主機１１に対する情報入力および指令などを可能とするように構成されている。タップ（シングルタップ、ダブルタップおよびロングタップ）、フリック（上フリック、下フリック、左フリックおよび右フリック）、スワイプ、ピンチ（ピンチインおよびピンチアウト）またはマルチタッチなど、スマホの様々な操作が可能とされている。
【００３６】
出力装置１１２は、当該ディスプレイにより構成されている。出力装置１１２は、音声出力装置により構成されていてもよい。
【００３７】
記憶装置１１３は、複数のリンクにより構成される道路網を含むスマホマップ等の種々のデータを記憶保持または格納するように構成されている。主制御装置１１４はコンピュータ（ＣＰＵおよびメモリを有する。）により構成され、後述する演算処理を実行するように構成されている。
【００３８】
副機１２はユーザの身体に装着される装具に組み込まれている。ユーザの手首に巻きつけられるように装着されるリストバンドが装具として採用される。副機１２は、検知器１２１と、報知器１２２と、副制御装置１２４とを備えている。
【００３９】
検知器１２１は、ユーザのトリガアクションを検知するように構成されている。ユーザの頭、胴体または肢体などの身体部分の位置・姿勢変動のほか、瞬き（まぶたの開閉運動）、発声などの動作がトリガアクションとして定義されうる。これらの動作の有無を検知するための適当なセンサにより検知器１２１が構成されていてもよい。
【００４０】
たとえば、ユーザが移動体としての車両のハンドルから手を離す動作がトリガアクションとして検知される場合、副機１２の構成要素としてリストバンドに組み込まれているジャイロセンサにより検知器１２１が構成されている。ハンドルから手を離す動作の有無は、当該ハンドルに設けられている接触センサにより検知されてもよい。そのほか、撮像装置または音声認識装置などにより検知器１２１が構成されていてもよい。
【００４１】
報知器１２２は、主機１１同士の通信が確立されている状態であることをユーザに対して報知するように構成されている。たとえば、主機１１の通信確立状態をユーザに視覚的に認識させるため、赤色ＬＥＤ（群）および緑色ＬＥＤ（群）により報知器１２２が構成されている。そのほか、主機１１の通信確立状態をユーザに聴覚的または触覚的に認識させるため、音声出力装置または振動素子（圧電素子）などにより報知器１２２が構成されていてもよい。
【００４２】
副制御装置１２４はコンピュータ（ＣＰＵおよびメモリを有する。）により構成され、後述する演算処理を実行するように構成されている。
【００４３】
移動体用通信装置１が相互通信可能な別体の機器（主機１１および副機１２）により構成されるほか、単体の機器により構成されていてもよい。この場合、単体の機器として、スマホまたはウエアラブル端末など移動体への持ち込みおよび移動体からの持ち出しが可能な携帯端末が採用されてもよく、車両などの移動体に搭載されている情報端末が採用されてもよい。移動体としては、四輪自動車および二輪自動車のほか、自転車などのあらゆる移動ツールも含まれる。
【００４４】
本発明の構成要素が担当の情報演算処理を実行するように構成されているとは、当該構成要素がメモリからプログラム（アプリケーションソフトウェア（以下「アプリ」という。）を含む。）を読み取り、当該プログラムにしたがって当該担当の情報演算処理を実行するようにプログラムされていることを意味する。
【００４５】
本発明の構成要素が情報を「認識する」とは、当該構成要素が情報を受信すること、情報を内部または外部記憶装置から検索または読み取ること、検索等された基礎情報を対象に演算処理を実行することにより情報を算定または推定すること、情報を記憶装置に保存しておくことなど、当該情報を利用可能な状態とするための演算処理の少なくとも一部を実行することを意味する。
【００４６】
（第１実施形態）
前記構成の移動体通信システムの作用に関する第１実施形態について説明する。情報送信側の移動体用通信装置１および情報受信側の移動体用通信装置１を区別するため、前者に記載「第１」および符号「Ａ」が付され、後者に記載「第２」および符号「Ｂ」が付される。第１移動体用通信装置１Ａが第１主機１１Ａおよび第１副機１２Ａにより構成され、第２移動体用通信装置１Ｂが第２主機１１Ｂおよび第２副機１２Ｂにより構成されている。
【００４７】
第１ユーザにより第１主機１１Ａに対してその入力装置１１１を用いて詳細情報（第２指定情報／プロファイルデータ）が作成かつ入力される（図２／ＳＴＥＰ１１１）。詳細情報には、第１ユーザが第１主機１１Ａの撮像装置を通じて撮像した景勝地の静止画または動画、第１主機１１Ａの入力装置１１１を通じて入力した当該景勝地に関する感想文または紹介文などが含まれる。詳細情報には第１主機１１Ａによって画像撮像時刻（タイムスタンプ）および位置（緯度および経度、または、緯度、経度および高度）（ロケーションスタンプ）が付与されてもよい。詳細情報は第１主機１１Ａからセンターサーバ２に対して送信された上で、センターサーバ２の記憶装置またはデータベースに登録される（図２／ＳＴＥＰ３０１）。
【００４８】
センターサーバ２が個々の詳細情報に固有のアクセスＩＤ（第１指定情報）を発行し、第１主機１１Ａに対して送信する（図２／ＳＴＥＰ３０２）。第１主機１１ＡにおいてアクセスＩＤが記憶装置１１３に保存される（図２／ＳＴＥＰ１１２）。センターサーバ２においてアクセスＩＤ（第１指定情報）は詳細情報（第２指定情報）と関連付けられて記憶装置に保存される。
【００４９】
第１主機１１Ａの主制御装置１１４が、第２主機１１Ｂとの相互通信が確立されているか否かを判定する（図２／ＳＴＥＰ１１３）。
【００５０】
第１主機１１Ａにおいて第２主機１１Ｂとの相互通信が確立されていると判定された場合（図２／ＳＴＥＰ１１３‥ＹＥＳ）、第１主機１１Ａが第１副機１２Ａに対して第１通知を送信する（図２／ＳＴＥＰ１１４）。第１副機１２Ａの副制御装置１２４が、当該第１通知に応じて第１報知処理を実行する（図２／ＳＴＥＰ１２１）。これにより、緑色ＬＥＤが点滅するなど、第１副機１２Ａの報知器１２２が第１指定パターンで点灯する。
【００５１】
第１副機１２Ａの副制御装置１２４が、検知器１２１の出力信号であって、ユーザによるトリガアクションがあったことを表わすトリガ信号の有無を判定する（図２／ＳＴＥＰ１２２）。たとえば、副機１２が手首に装着されているほうの手をハンドルから離す動作がトリガアクションとして定義されている場合、副機１２の指定角度以上の姿勢変化を表わす検知器１２１の出力信号がトリガ信号として定義される。
【００５２】
トリガ信号があると判定された場合（図２／ＳＴＥＰ１２２‥ＹＥＳ）、第１副機１２Ａが第１主機１１Ａに対してトリガ通知を送信する（図２／ＳＴＥＰ１２３）。トリガ通知に応じて第１主機１１Ａが第２主機１１Ｂに対して簡易情報およびアクセスＩＤを送信する（図２／ＳＴＥＰ１１５）。簡易情報は、詳細情報の概要を示すものであり情報量が詳細情報よりも少ない。簡易情報は、第１主機１１Ａにより詳細情報の一部（情報のタイトルなど）が抽出されてもよく、第１主機１１Ａの入力装置１１１を通じてユーザにより詳細情報とは別個に入力されてもよい。
【００５３】
第１主機１１Ａが、第２主機１１Ｂとの相互通信が確立されているか否かを判定するのと同様に（図２／ＳＴＥＰ１１３参照）、第２主機１１Ｂの主制御装置１１４も、第１主機１１Ａとの相互通信が確立されているか否かを判定する（図２／ＳＴＥＰ２１１）。
【００５４】
第１主機１１Ａとの相互通信が確立されていると判定された場合（図２／ＳＴＥＰ２１１‥ＹＥＳ）、第２主機１１Ｂの主制御装置１１４が当該第１主機１１Ａから簡易情報およびアクセスＩＤを受信したか否かを判定する（図２／ＳＴＥＰ２１２）。当該判定結果が肯定的である場合（図２／ＳＴＥＰ２１２‥ＹＥＳ）、第２主機１１Ｂの主制御装置１１４が第２副機１２Ｂに対して第２通知を送信する（図２／ＳＴＥＰ２１３）。第２副機１２Ｂの副制御装置１２４は当該第２通知に応じて第２報知処理を実行する（図２／ＳＴＥＰ２２１）。これにより、赤色ＬＥＤが点滅するなど、第２副機１２Ｂの報知器１２２が第２指定パターンで点灯する。
【００５５】
第２主機１１Ｂが、受信済みの簡易情報をその出力装置１１２に一覧表示させる（図２／ＳＴＥＰ２１４）。当該一覧表には、第１主機１１Ａにより付されたタイムスタンプ（詳細情報の作成時刻または簡易情報の送信時刻）およびロケーションスタンプ（詳細情報の作成位置または簡易情報の送信位置の緯度および経度）のうち一方または両方が含まれていてもよい。第２主機１１Ｂにより、タイムスタンプ（簡易情報の受信時刻）およびロケーションスタンプ（簡易情報の受信位置の緯度および経度）が付与された上で一覧表に表示されてもよい。
【００５６】
第２主機１１Ｂにおいて、ユーザによる入力装置１１１を通じて簡易情報が指定されたと判定される（図２／ＳＴＥＰ２１５）。これを受けて第２主機１１Ｂが当該指定簡易情報に対応するアクセスＩＤをセンターサーバ２に対して送信する。
【００５７】
センターサーバ２はアクセスＩＤに対応して記憶装置に保存されている詳細情報を検索かつ第２主機１１Ｂに対して送信する（図２／ＳＴＥＰ３０３）。これにより、第２主機１１Ｂの出力装置１１２には、指定簡易情報に関連する詳細情報が出力表示される（図２／ＳＴＥＰ２１６）。たとえば、他人が撮像した景勝地の画像と紀行文とが詳細情報として第２主機１１Ｂの出力装置１１２に表示される。
【００５８】
（効果（第１実施形態））
たとえば、図３（ａ）に示されているように（１）移動体用通信装置１のユーザが主機１１を用いてセンターサーバ２に第２指定情報をあらかじめ登録し、（２）センターサーバ２からアクセスＩＤを取得する（図２／ＳＴＥＰ１１１→３０１→３０２→１１２参照）。
【００５９】
その上で、図３（ｂ）に示されているようにユーザが移動体としてのバイク（自動二輪車）に乗って相互に対向して走行している状況において、（３）主機１１の通信が確立され、（４）これに応じて副機１２の報知器１２２が指定態様で点灯する（図２／ＳＴＥＰ１１３→１１４→１２１参照）。
【００６０】
続いて、図３（ｃ）に示されているように（５）ユーザがハンドルから手を離す動作が副機１２の検知器１２１によりトリガアクションとして検知され、（６）これに応じて主機１１により第１指定情報として簡易情報およびアクセスＩＤが交換される（図２／ＳＴＥＰ１２２→１２３→１１５参照）。
【００６１】
その後、図３（ｄ）に示されているようにユーザがバイクを降りて主機１１（スマホ）に表示されている簡易情報の一覧の中から興味がある簡易情報を指定することにより、（７）主機１１からセンターサーバ２に対して要求が送信され、（８）これに対応する詳細情報がセンターサーバ２から主機１１に対して送信される（図２／ＳＴＥＰ２１４→２１５→３０３→２１６参照）。
【００６２】
本発明の移動体通信システムによれば、車両運転用のハンドルから手を離すというトリガアクションが他のユーザとの情報交換または共有の要件とされているので、ユーザに他のユーザとコミュニケーションしていることを強く実感させ、かつ、コミュニケーションに対する魅力を感じさせることができる。これにより、ユーザ間の情報交換または共有の促進およびコミュニティの活性化が図られる。
【００６３】
（第２実施形態）
前記構成の移動体通信システムの作用に関する第２実施形態について説明する。ユーザ等の属性情報が共通していることが、ユーザ間の情報交換および情報共有の要件とされているほかは、第１実施形態とほぼ同様なので、共通作用に関する説明を省略する。
【００６４】
「属性情報」は、移動体、移動体用通信装置１またはユーザの属性を表わす情報である。移動体としての車両または移動体用通信装置１の型、種類、装備されているオプション機能、製造番号または電話番号などの識別子、および燃費または電費に関する情報が属性情報に該当しうる。車両の出発地点、目的地点、目的地点までのルート、立寄り地点またはＰＯＩ（Ｐｏｉｎｔ  ｏｆ  Ｉｎｔｅｒｅｓｔ）などの指定地点、出発時刻、到着予定時刻、燃費または電費、移動時間帯、移動距離、およびルートの移動履歴に関する情報が属性情報に該当しうる。ユーザの誕生年、月もしくは日、出身地、学歴、職業、およびユーザの嗜好性（趣味、お気に入りの地点のカテゴリなど）に関する情報が属性情報に該当しうる。前述のタイムスタンプおよびロケーションスタンプのそれぞれも属性情報に該当しうる。
【００６５】
属性情報は、第１主機１１Ａにおいて入力装置１１１を通じてユーザにより入力されてもよく、記憶装置１１３に予め記憶されていてもよく、移動体の搭載機器から第１主機１１Ａが受信してもよく、主制御装置１１４により、自動的に付与され、または当該入力情報等に基づいてルート計算機能等の計算機能が用いられて計算されてもよい。
【００６６】
第１主機１１Ａにおいて第２主機１１Ｂとの相互通信が確立されていると判定された場合（図２／ＳＴＥＰ１１３‥ＹＥＳ）、第１主機１１Ａが第２主機１１Ｂとの間で属性情報を送受信する。第１主機１１Ａの主制御装置１１４により送受信された属性情報の共通性が評価され、当該共通性があるまたは高いと判定されたことを要件として、第１主機１１Ａから第１副機１２Ａに対して第１通知が送信される（図２／ＳＴＥＰ１１４参照）。たとえば、属性情報を構成する項目のうち共通項目が多いほど、対比対象である属性情報の共通性が高いと評価される。
【００６７】
代替的に、トリガ通知に応じて第１主機１１Ａが第２主機１１Ｂに対して簡易情報に加えて（または簡易情報として）属性情報を送信し、第２主機１１Ｂにおいて属性情報の共通性があるまたは高いと判定されたことを要件として、その旨の通知に応じてアクセスＩＤを送信するように構成されていてもよい（図２／ＳＴＥＰ１１５参照）。
【００６８】
代替的に、トリガ通知に応じて第１主機１１Ａが第２主機１１Ｂに対して簡易情報に加えて（または簡易情報として）属性情報をアクセスＩＤとともに送信し（図２／ＳＴＥＰ１１５）、第２主機１１Ｂにおいて属性情報の共通性があるまたは高いと判定されたことを要件として、簡易情報出力以降の処理（図２／ＳＴＥＰ２１４〜２１６参照）が実行されてもよい。
【００６９】
（効果（第２実施形態））
たとえば、図４（ａ）に示されているように（１）移動体用通信装置１のユーザが主機１１を用いてセンターサーバ２に第２指定情報をあらかじめ登録し、（２）センターサーバ２からアクセスＩＤを取得する（図２／ＳＴＥＰ１１１→３０１→３０２→１１２参照）。
【００７０】
その上で、図４（ｂ）に示されているようにユーザが移動体としてのバイク（自動二輪車）に乗って同じ道路を同方向に走行している状況において、（３）主機１１の通信が確立されて目的地点などの属性情報が送受信され、（４）当該属性情報が共通している場合には副機１２の報知器１２２が指定態様で点灯する（図２／ＳＴＥＰ１１３→１１４→１２１参照）。
【００７１】
続いて、図４（ｃ）に示されているように（５）ユーザがハンドルから手を離す動作が副機１２の検知器１２１によりトリガアクションとして検知され、（６）これに応じて主機１１により第１指定情報として簡易情報およびアクセスＩＤが交換される（図２／ＳＴＥＰ１２２→１２３→１１５参照）。
【００７２】
その後、図４（ｄ）に示されているようにユーザがバイクを降りて主機１１（スマホ）に表示されている簡易情報の一覧の中から興味がある簡易情報を指定することにより、（７）主機１１からセンターサーバ２に対して要求が送信され、（８）これに対応する詳細情報がセンターサーバ２から主機１１に対して送信される（図２／ＳＴＥＰ２１４→２１５→３０３→２１６参照）。
【００７３】
本発明の移動体通信システムによれば、トリガアクションに加えて、目的地点などに関する属性情報が共通することを要件として複数のユーザが情報を交換または共有することができる。これにより、各ユーザにとって価値または有用性が高い、当該共通の目的地点に関する情報（目的地点までの経済的ルート、当該ルートにおける交通情報または気象情報、当該ルート近傍のおすすめスポットなど）の交換または共有の促進およびコミュニティのさらなる活性化が図られる。
【００７４】
（本発明の他の実施形態）
センターサーバ２に登録されている詳細情報（第２指定情報）の情報源は、移動体用通信装置１のユーザ以外の第三者（気象情報局および道路交通情報局などの公共性のある情報局など）であってもよい。
【００７５】
具体的には、ユーザが移動体用通信装置１を通じて閲覧したＷｅｂページのＵＲＬを第１指定情報として当該移動体用通信装置１に登録しておき、これを第１指定情報として他のユーザの移動体用通信装置１との間で送受信する（図２／ＳＴＥＰ１１５、２１２参照）。そして、他のユーザはその移動体用通信装置１に出力されたＵＲＬを選択することで、当該ＵＲＬに応じたＷｅｂページの掲載情報を第２指定情報として閲覧することができる（図２／ＳＴＥＰ２１４→２１５→３０３→２１６参照）。
【００７６】
この場合、詳細情報入力およびアクセスＩＤの取得に関する処理は不要になる（図２／ＳＴＥＰ１１１→３０１→３０２→１１２参照）。また、ＵＲＬに応じたＷｅｂページの掲載情報を提供する一または複数のインターネットサーバがセンターサーバ２を構成する。
【００７７】
トリガアクションの検知に関する処理が省略されてもよい（図２／ＳＴＥＰ１２２→１２３参照）。この場合、検知器１２１は省略されうる。複数の移動体が移動体用通信装置１の相互通信が可能になる程度に近接したことを要件として、複数のユーザはセンターサーバ２に登録されている第２指定情報を交換または共有することができる。
【００７８】
第１報知（図２／ＳＴＥＰ１２１参照）および第２報知（図２／ＳＴＥＰ２１３参照）のうち一方または両方が省略されてもよい。この場合、報知器１２２が部分的または全体的に省略されうる。
【符号の説明】
【００７９】
１‥移動体用通信装置、２‥センターサーバ、１１‥主機、１１１‥入力装置、１１２‥出力装置、１２‥副機、１２１‥検知器、１２２‥報知器。
【図２】
2015201794.tif 000003
【図１】
2015201794.tif 000004
【図３】
2015201794.tif 000005
【図４】
2015201794.tif 000006